(57)【特許請求の範囲】
【請求項１】
一対の半裁クランプを鉛直面内にて開閉可能なるように上端部にて互いに軸支し、該各半裁クランプの下部外側面に突出部を対設し、該突出部に両半裁クランプを閉じたとき互いに合致する係合突起と係合孔を形成し、該各半裁クランプの相対する内面上部に半円よりも短くなるように下縁を欠損状に形成した筒状部を水平に形成し、両半裁クランプを閉じたときに該下縁間に隙間が形成されるようにすると共に、該各半裁クランプの相対する内面下部に凹窪部を形成し、
下側部に長手方向に沿う分離部が形成され該分離部から下方に延びるリブが形成された絶縁性の筒状カバーを形成し、該分離部間を拡開することで該筒状カバーにより配電線を被覆し、
前記リブを前記下縁間の隙間に垂下させ前記筒状部により前記筒状カバーを挟着すると共に、両半裁クランプを閉じることで前記凹窪部により碍子の上端傘状部を挟着し、該筒状カバー内に侵入した雨水が前記分離部から前記下縁間の隙間に排出され、該隙間に排出された雨水がさらに碍子の外周を伝わって半裁クランプの外に排出されるようにしたことを特徴とする配電線係留装置。
【発明の詳細な説明】
【技術分野】
【０００１】
本発明は電力線や通信線などの配電線を電柱上に設けられた碍子に係留するための装置に関するものである。
【背景技術】
【０００２】
高電圧の配電線を電柱上に設けられた碍子に係留するに際しては、従来、図１１に示したように、碍子ａの一側のくびれ部に配電線ｂを添え、強度と硬度の高い硬鋼線からなるバインド線ｃを該碍子ａの外周から配電線ｂの外周にわたってコイル状に巻き付けることにより、該バインド線ｃを碍子ａに固定するのが一般的である。
【０００３】
また、本特許出願人の特許出願に係る下記特許文献１に示された活線作業用クランプは、一対の半裁クランプが鉛直面内にて開閉可能なるように上端部にて互いに軸支され、両半裁クランプを閉じることにより配電線を挟着すると同時に該クランプが碍子の上部に冠着されることで、配電線を簡便に電柱上の碍子に係留できるようにするものであった。
【特許文献１】特開２００２−２７６４７号公報
【発明の開示】
【発明が解決しようとする課題】
【０００４】
ところで、上記のようにバインド線ｃにより配電線ｂを固定する場合は、バインド線ｃを強く巻き付けすぎると配電線ｂの絶縁被覆に食い込んだ状態となり、長期間この状態が継続するとその絶縁被覆に微小なクラックが発生し絶縁性が損なわれるおそれがあった。また、長期的には紫外線によってもバインド線ｃの絶縁被覆は劣化するので絶縁性が損なわれるおそれがあった。また、配電線ｂの高さは通常街路樹の高さと同程度であるので、街路樹の枝が強風で煽られて配電線ｂをバッシングし、その絶縁被覆を傷つけるおそれもあった。
【０００５】
一方、特許文献１に示された活線作業用クランプは、一対の半裁クランプの相対する内面上部に形成された半筒部により配電線を挟着するものであるので、その挟着部内に雨水が侵入し、内部にその雨水が溜まり易いという問題がある。
【０００６】
図１２は塩分濃度と導電率との関係を示すグラフであり、例えば塩分濃度が１５％になると導電率は雨水の１６００倍以上にもなるように、塩分濃度が上昇するとその導電率は急上昇する。このため塩分を含んだ水が繰り返し上記挟着部等に付着すると絶縁性が著しく損なわれ、電柱の金属製腕金を伝わって電流が漏洩するトラッキング現象が発生し、絶縁被覆を炭化させ、こうした状況が一定期間継続すると一気に大電流が流れて停電事故を起こすおそれがあった。なお、このような塩害は、海岸に近い区域だけでなく、強い季節風や雪によって数十キロ内陸にまでも海水の塩分を含んだ水が運ばれてきてクランプに付着し内部に溜まることから、水分が蒸発するに従いその塩分濃度が上昇し、所期の絶縁性が維持されず、上記のような停電事故を起こすおそれがある。
【課題を解決するための手段】
【０００７】
本発明の配電線係留装置は上記のような課題を解決しようとするもので、一対の半裁クランプを鉛直面内にて開閉可能なるように上端部にて互いに軸支し、該各半裁クランプの下部外側面に突出部を対設し、該突出部に両半裁クランプを閉じたとき互いに合致する係合突起と係合孔を形成し、該各半裁クランプの相対する内面上部に半円よりも短くなるように下縁を欠損状に形成した筒状部を水平に形成し、両半裁クランプを閉じたときに該下縁間に隙間が形成されるようにすると共に、該各半裁クランプの相対する内面下部に凹窪部を形成し、下側部に長手方向に沿う分離部が形成され該分離部から下方に延びるリブが形成された絶縁性の筒状カバーを形成し、該分離部間を拡開することで該筒状カバーにより配電線を被覆し、前記リブを前記下縁間の隙間に垂下させ前記筒状部により前記筒状カバーを挟着すると共に、両半裁クランプを閉じることで前記凹窪部により碍子の上端傘状部を挟着し、該筒状カバー内に侵入した雨水が前記分離部から前記下縁間の隙間に排出され、該隙間に排出された雨水がさらに碍子の外周を伝わって半裁クランプの外に排出されるようにしたことを特徴とする。
このように、配電線を該筒状カバーにより被覆することで絶縁性が高くなると共に、該筒状カバーの分離部が常に下側となるように係留されることで、排出路が確保され該筒状カバー内に雨水等が溜まらないようになる。
【発明の効果】
【０００８】
雨水等の排出が確実になされることから、漏電から停電に至るような事故の発生を防止することができる。
【発明を実施するための最良の形態】
【０００９】
次に本発明の実施形態を図面とともに説明する。図１は本発明に係る配電線係留装置の分解斜視図、図２はその組立状態の斜視図である。一対の半裁クランプ１，１は、ポリエチレンなどの硬質の合成樹脂により、対向面が開放され左右が略々対称に成形され、上端部に軸受部２ａ，２ｂが一体に成形されたもので、該半裁クランプ１，１の開放面側を対向させることで互いの軸受部２ａ，２ｂを交差させ一直線上に噛み合うようにして支軸３を貫挿することにより、図２に示したように該半裁クランプ１，１が鉛直面内にて開閉可能なるように組み立てられる。
【００１０】
該各半裁クランプ１，１の下部外側面には突出部４ａ，４ｂが対設され、該突出部に係合突起５ａと係合孔５ｂを夫々形成し、両半裁クランプ１，１を閉じたとき互いの係合突起５ａが係合孔５ｂに嵌合し、該係合突起５ａは先端部が矢印形に形成され、かつ弾性的に拡縮し得るように二股状にスリ割されていることから、係合孔５ｂに嵌合すると該先端部が復元し、係合孔５ｂから抜脱しない。このため係合突起５ａと係合孔５ｂを係合することにより半裁クランプ１，１を閉状態に保持し得る。
【００１１】
また、該各半裁クランプ１，１の相対する内面上部には水平に筒状部６を形成し、該各半裁クランプの相対する内面下部には碗状の凹窪部７を形成する。該各筒状部６は半円よりも短くなるように下縁が欠損状に形成され、後述するように、両半裁クランプ１，１を閉じたときに下縁に隙間８が形成されるようにする。また、凹窪部７の内面に複数の突片９が適宜間隔で形成される。
【００１２】
一方、図３に示したように、１０は合成樹脂により成形された絶縁性の筒状カバー、１１は該筒状カバーにより被覆された配電線で、該筒状カバーは下側部に長手方向に沿う分離部１０ａが形成され該分離部から下方に延びるリブ１０ｂが一体に形成される。そして、該筒状カバー１０を適宜長に切断し、分離部１０ａ間を弾性的に拡開することで該筒状カバー内に配電線１１を挿入できるようにしている。
【００１３】
次に上記配電線１１を係留する上記半裁クランプ１，１の使用状態を図４、図５に従い説明する。同図において、１２は電柱の腕金１３に立設された多段傘状の碍子である。配電線１１を該碍子１２に係留するに際しては、該筒状カバー１０を両半裁クランプ１，１の筒状部６により挟着すると共に、該両半裁クランプ１，１を閉じて前記凹窪部７により碍子１２の上端傘状部１２ａを挟着し、前記係合突起５ａと係合孔５ｂとを係合させることで該両半裁クランプ１，１を該碍子１２の上部に冠着する。その際、図５に示したように、前記リブ１０ｂが前記隙間８に垂下した状態にすることで該筒状カバー１０の分離部１０ａを常に下向きにすることができる。このため、該筒状カバー１０の両端部などから該筒状カバー１０内に侵入した雨水が該分離部１０ａから隙間８に排出され、該隙間８に排出された雨水はさらに碍子１２の外周を伝わって半裁クランプ１，１の外に排出される。このため筒状カバー１０内に雨水が溜まることがない。なお、凹窪部７の内面に突設された複数の突片９は該半裁クランプ１，１を碍子１２の外周面にガタツキなく固定するのに有用であると共に、該突片９間の隙間から雨水を該碍子１２の表面に沿って流出させ易くしている。
【００１４】
このように本発明の配電線係留装置は、従来のバインド線を使用する係留作業のように、強く巻き付けすぎたり、反対に巻き付けが弱すぎるようなことがないと共に、作業性がよく工事不良のおそれもないので、何人にも簡単に配電線１１を電柱上の碍子１２に係留することができる。そして、筒状カバーのリブが半裁クランプを閉じたときにできる両筒状部の隙間に垂下した状態で収まるようにすることにより、水抜き路が常に確保されることから、雨水等が溜まるおそれがなく、絶縁性が維持される。要するに、筒状カバーのリブが半裁クランプを閉じたときにできる両筒状部の隙間に垂下した状態で収まるようにすることにより、水抜き路を常に確保することができる。
また、このように配電線１１を筒状カバー１０によって覆うことにより、街路樹の枝等により傷つけることも解消される。
【００１５】
なお、筒状カバー１０の長さは、設置場所の環境条件にもよるが、海辺での実地検証結果では筒状部６から突出する部分を５ｃｍ以上にすることで十分な漏電防止効果が認められた。ただし、街路樹枝によるバッシングから配電線１１を保護することを考慮すると筒状部６から突出する部分を１０ｃｍ以上にすることが望ましい。
【００１６】
なお、この実施形態に示した筒状カバー１０は、分離部１０ａから下方に延びるリブ１０ｂを一体に形成した一般的なものであるが、筒状カバーの形状は、図６に示したようにリブ１０ｂ，１０ｂの対向内面に互いに噛み合う凹凸を形成した形状、図７に示したように片側にだけリブ１０ｂを形成したもの、図８に示したように分離部１０ａにリップ１０ｃを形成したもの、或いは、図９に示したように上部に肉薄状のヒンジ部１０ｄを形成することにより分離部１０ａ間を拡開可能にしたものなど、種々の形態のものを使用できる。
また、半裁クランプの形状についてもこの実施形態に限られることなく、図１０に例示したように、凹窪部の外形が半円状に形成されていてもよい。なお、同図には上記実施形態と同一部分に同じ符号を付した。
【産業上の利用可能性】
【００１７】
本発明に係る配電線係留装置は、この実施形態に示した電力線は勿論、通信線など、その他の空中線を係留するためにも使用することができる。
【図面の簡単な説明】
【００１８】
【図１】本発明に係る配電線係留装置の分解斜視図。
【図２】本発明に係る配電線係留装置の組立状態の斜視図。
【図３】筒状カバーにより被覆した配電線の斜視図。
【図４】本発明に係る配電線係留装置の使用状態を示した斜視図。
【図５】本発明に係る配電線係留装置の使用状態を示す側面図。
【図６】筒状カバーの他の実施形態を示した横断面図。
【図７】筒状カバーの他の実施形態を示した横断面図。
【図８】筒状カバーの他の実施形態を示した横断面図。
【図９】筒状カバーの他の実施形態を示した横断面図。
【図１０】本発明に係る配電線係留装置の他の実施形態を示した斜視図。
【図１１】従来の配電線の係留状態を示した斜視図。
【図１２】塩分濃度と導電率との関係を示すグラフ。
【符号の説明】
【００１９】
１，１        半裁クランプ
２ａ，２ｂ    軸受部
３            支軸
４ａ，４ｂ    突出部
５ａ          係合突起
５ｂ          係合孔
６            筒状部
７            凹窪部
８            隙間
９            突片
１０          筒状カバー
１０ａ        分離部
１０ｂ        リブ
１１          配電線
１２          碍子
【図１】
0004797040.tif 000002
【図２】
0004797040.tif 000003
【図３】
0004797040.tif 000004
【図４】
0004797040.tif 000005
【図５】
0004797040.tif 000006
【図６】
0004797040.tif 000007
【図７】
0004797040.tif 000008
【図８】
0004797040.tif 000009
【図９】
0004797040.tif 000010
【図１０】
0004797040.tif 000011
【図１１】
0004797040.tif 000012
【図１２】
0004797040.tif 000013